(57)【要約】【課題】  特定の領域内のみでアプリケーションの利用が可能になることが担保された、位置情報を利用してイベントを発生させるタイミングを制御するイベント制御プログラム等を提供する。【解決手段】  携帯端末のＧＰＳ機能によって、携帯端末の現在地が所定の領域内にあることを確認して、特定の領域内のみで提供されるサービスであることを担保するともに、ビーコン端末等の発信機から発信された無線信号の受信機能を用いてビーコン端末等を識別し、各々の発信機の設置場所に応じて発生させるイベントの順序を制御することによって、所定の場所を順番に回ってミッションを達成する、スタンプラリーや宝探しのようなエンターテイメント性の高いサービスの提供を可能にする。【選択図】        図１
2018068599.tif 000002
【特許請求の範囲】
【請求項１】
ＧＰＳによる現在地の特定機能と、所定の場所に設置された発信機から発信された無線信号の受信機能を備えた携帯端末に、
ＧＰＳによって特定される前記携帯端末の現在地が、所定の領域内にあるかを判断する現在地判断ステップと、
前記現在地判断ステップで現在地が所定の領域内にあると判断されると、所定のアプリケーションを開始するステップと、
前記アプリケーションが開始された後に、前記発信機から発信された無線信号を受信すると、前記無線信号から前記発信機の識別情報を特定する発信機特定ステップと、
前記発信機特定ステップで特定された発信機の識別情報が、前記アプリケーションにおいて次に発生させるイベントに関連付けられた識別情報に該当する場合に、前記識別情報に関連付けられたイベントを発生させるイベント発生ステップと、
を実行させることを特徴とするイベント制御プログラム。
【請求項２】
前記イベント発生ステップでは、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させること
を特徴とする請求項１記載のイベント制御プログラム。
【請求項３】
前記イベント発生ステップでは、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記領域内にある場合に、前記識別情報に関連付けられたイベントを発生させること
を特徴とする請求項１記載のイベント制御プログラム。
【請求項４】
ＧＰＳによる現在地の特定機能と、所定の場所に設置された発信機から発信された無線信号の受信機能を備えた携帯端末に、
所定のアプリケーションが開始された後に、前記発信機から発信された無線信号を受信すると、前記無線信号から前記発信機の識別情報を特定する発信機特定ステップと、
前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させるイベント発生ステップと、
を実行させることを特徴とするイベント制御プログラム。
【請求項５】
ＧＰＳによる現在地の特定機能と、所定の場所に設置された発信機から発信された無線信号の受信機能を備えた携帯端末に、
所定のアプリケーションが開始された後に、前記発信機から発信された無線信号を受信すると、前記無線信号から前記発信機の識別情報を特定する発信機特定ステップと、
前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、所定の領域内にある場合に、前記識別情報に関連付けられたイベントを発生させるイベント発生ステップと、
を実行させることを特徴とするイベント制御プログラム。
【請求項６】
ＧＰＳによって特定される現在地が、所定の領域内にあるかを判断する現在地判断手段と、
前記現在地判断手段によって現在地が所定の領域内にあると判断されると、所定のアプリケーションを開始するアプリケーション開始手段と、
前記アプリケーションが開始された後に、所定の場所に設置された発信機から発信された無線信号を受信すると、前記無線信号から前記発信機の識別情報を特定する発信機特定手段と、
前記発信機特定手段によって特定された発信機の識別情報が、前記アプリケーションにおいて次に発生させるイベントに関連付けられた識別情報に該当する場合に、前記識別情報に関連付けられたイベントを発生させるイベント発生手段と、
を備えることを特徴とするイベント制御機能を備えた携帯端末。
【請求項７】
所定のアプリケーションが開始された後に、所定の場所に設置された発信機から発信された無線信号を受信すると、前記無線信号から前記発信機の識別情報を特定する発信機特定手段と、
前記発信機特定手段によって特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させるイベント発生手段と、
を備えることを特徴とするイベント制御機能を備えた携帯端末。
【請求項８】
所定のアプリケーションが開始された後に、所定の場所に設置された発信機から発信された無線信号を受信すると、前記無線信号から前記発信機の識別情報を特定する発信機特定手段と、
前記発信機特定手段によって特定された発信機の識別情報が、前記アプリケーションにおいて次に発生させるイベントに関連付けられた識別情報に該当し、かつ、ＧＰＳによって特定される前記携帯端末が前記無線信号を受信した位置が、所定の領域内にある場合に、前記識別情報に関連付けられたイベントを発生させるイベント発生手段と、
を備えることを特徴とするイベント制御機能を備えた携帯端末。
【請求項９】
ＧＰＳによる現在地の特定機能と、所定の場所に設置された発信機から発信された無線信号の受信機能を備えた携帯端末が、ＧＰＳによって特定される前記携帯端末の現在地が、所定の領域内にあるかを判断する現在地判断ステップと、
前記携帯端末が、前記現在地判断ステップで現在地が所定の領域内にあると判断されると、所定のアプリケーションを開始するステップと、
前記携帯端末が、前記アプリケーションが開始された後に、前記発信機から発信された無線信号を受信すると、前記無線信号から前記発信機の識別情報を特定する発信機特定ステップと、
前記携帯端末が、前記発信機特定ステップで特定された発信機の識別情報が、前記アプリケーションにおいて次に発生させるイベントに関連付けられた識別情報に該当する場合に、前記識別情報に関連付けられたイベントを発生させるイベント発生ステップと、
を有することを特徴とするイベントの制御方法。
【請求項１０】
ＧＰＳによる現在地の特定機能と、所定の場所に設置された発信機から発信された無線信号の受信機能を備えた携帯端末が、所定のアプリケーションが開始された後に、前記発信機から発信された無線信号を受信すると、前記無線信号から前記発信機の識別情報を特定する発信機特定ステップと、
前記携帯端末が、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させるイベント発生ステップと、
を有することを特徴とするイベントの制御方法。
【請求項１１】
ＧＰＳによる現在地の特定機能と、所定の場所に設置された発信機から発信された無線信号の受信機能を備えた携帯端末が、所定のアプリケーションが開始された後に、前記発信機から発信された無線信号を受信すると、前記無線信号から前記発信機の識別情報を特定する発信機特定ステップと、
前記携帯端末が、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、所定の領域内にある場合に、前記識別情報に関連付けられたイベントを発生させるイベント発生ステップと、
を有することを特徴とするイベントの制御方法。
【発明の詳細な説明】
【技術分野】
【０００１】
本発明は、位置情報を利用してイベントを発生させるタイミングを制御する、イベント制御プログラム、イベント制御機能を備えた携帯端末、及びイベントの制御方法に関するものである。
【背景技術】
【０００２】
スマートフォン等の携帯端末の普及に伴い、様々な新しいサービスが提供されるようになっているが、携帯端末の位置情報を利用して、ユーザの現在地に関連する情報を提供するサービスも数多く提供されている。
【０００３】
携帯端末の位置を測定するための技術としては、ＧＰＳ（グローバル・ポジショニング・システム）が広く採用されている他、所定の場所に設置した発信機（ビーコン端末）から定期的に無線信号（ビーコン信号）を発信させ、これを受信した携帯端末で無線信号に含まれる発信機の識別情報から位置を測定する方法も利用されるようになっている。
【０００４】
後者の技術を利用したシステムとして、例えば、店舗内に設置したビーコン端末から受信したビーコン端末の識別情報とビーコン信号の電波強度から、携帯端末の位置を特定し、携帯端末の位置に対応する情報を提供する情報提供システムに関する発明が開示されている（特許文献１参照）。また、遊戯施設等の特定の施設内に無線信号を発信する複数のロケータ（ビーコン端末に相当）を設置し、携帯端末では受信したロケータの識別情報に応じたイベントを発生させる自己位置利用システムに関する発明が開示されている（特許文献２参照）。
【先行技術文献】
【特許文献】
【０００５】
【特許文献１】特開２０１６−６２２２６号公報
【特許文献２】特開２０１２−１９４９４号公報
【発明の概要】
【発明が解決しようとする課題】
【０００６】
ところで、地方創生や地域経済の活性化が重要な政策課題となる中、出願人は、街全体にビーコン端末等を設置してインターネットとつなぐことで人と人が交流する、有機的で新しいネットワークを生み出す「スマートシティ」事業の推進に注力している。多くの住民がスマートフォンを所持するようになった現在、地域内にビーコン端末を設置し、ビーコン信号を受信したスマートフォンに様々なアプリケーションを実行させることで、その地域でしか楽しめないサービスを提供することができると考えられる。
【０００７】
例えば、特許文献１に開示されている技術を採用すれば、地域の観光資源に関する情報や店舗情報等を、その場所の近くにいるユーザのスマートフォン等の携帯端末に提供することが可能になるが、それだけでは地域情報の提供のみに止まってしまうことになる。一方、特許文献２に開示されているように、スマートフォン等に受信したビーコン端末等の識別情報に対応するイベントを発生させ、さらにイベント発生の条件として、特定のイベントをクリアしたこと等を組み合わるように設定すれば、例えばスタンプラリーや宝探しのように、エンターテイメント性の高いサービスを提供することが可能になると考えられる。
【０００８】
しかしながら、ビーコン端末等の識別情報に対応するイベントを発生させる仕組みを採用すると、イベント発生のトリガとなるビーコン端末等の識別情報を取得すれば、識別情報を偽装して地域外においてもサービスを利用されてしまうおそれがある。そのため、こうした不正行為によってその地域のみのサービスという固有性が損なわれるリスクにどのように対処するかという、新たな課題が生じることになる。
【０００９】
本発明は、このような課題に対応するためになされたものであり、特定の領域内のみでアプリケーションの利用が可能になることが担保された、位置情報を利用してイベントを発生させるタイミングを制御する、イベント制御プログラム、イベント制御機能を備えた携帯端末、及びイベントの制御方法を提供することを目的とするものである。
【課題を解決するための手段】
【００１０】
本願の課題を解決する第１の発明は、ＧＰＳによる現在地の特定機能と、所定の場所に設置された発信機から発信された無線信号の受信機能を備えた携帯端末に、ＧＰＳによって特定される前記携帯端末の現在地が、所定の領域内にあるかを判断する現在地判断ステップと、前記現在地判断ステップで現在地が所定の領域内にあると判断されると、所定のアプリケーションを開始するステップと、前記アプリケーションが開始された後に、前記発信機から発信された無線信号を受信すると、前記無線信号から前記発信機の識別情報を特定する発信機特定ステップと、前記発信機特定ステップで特定された発信機の識別情報が、前記アプリケーションにおいて次に発生させるイベントに関連付けられた識別情報に該当する場合に、前記識別情報に関連付けられたイベントを発生させるイベント発生ステップと、を実行させることを特徴とするイベント制御プログラムである。
【００１１】
第１の発明は、前記イベント発生ステップでは、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させることを特徴とすることもできる。
【００１２】
第１の発明は、前記イベント発生ステップでは、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記領域内にある場合に、前記識別情報に関連付けられたイベントを発生させることを特徴とすることもできる。
【００１３】
本願の課題を解決する第２の発明は、ＧＰＳによる現在地の特定機能と、所定の場所に設置された発信機から発信された無線信号の受信機能を備えた携帯端末に、所定のアプリケーションが開始された後に、前記発信機から発信された無線信号を受信すると、前記無線信号から前記発信機の識別情報を特定する発信機特定ステップと、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させるイベント発生ステップと、を実行させることを特徴とするイベント制御プログラムである。
【００１４】
本願の課題を解決する第３の発明は、ＧＰＳによる現在地の特定機能と、所定の場所に設置された発信機から発信された無線信号の受信機能を備えた携帯端末に、所定のアプリケーションが開始された後に、前記発信機から発信された無線信号を受信すると、前記無線信号から前記発信機の識別情報を特定する発信機特定ステップと、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、所定の領域内にある場合に、前記識別情報に関連付けられたイベントを発生させるイベント発生ステップと、を実行させることを特徴とするイベント制御プログラムである。
【００１５】
本発明では、携帯端末のＧＰＳ機能によって、携帯端末の現在地が所定の領域内にあることを確認して、特定の領域内のみで提供されるサービスとなることを担保するともに、ビーコン端末等の発信機から発信された無線信号の受信機能を用いてビーコン端末等を識別し、各々の発信機の設置場所に応じて発生させるイベントの順序を制御することによって、指定された場所を順番に回ってミッションを達成する、スタンプラリーや宝探しのようなエンターテイメント性の高いサービスの提供を可能にしている。
【００１６】
第１の発明では、携帯端末のＧＰＳ機能によって、携帯端末の現在地が所定の領域内にあることが確認されることを条件にアプリケーションを開始させ、その後は、ビーコン端末等の発信機から受信した無線信号の識別情報に応じて、発生させるイベントの順序を制御する。第１の発明において、発信機から受信した無線信号に応じたイベントを発生させる際にも、ＧＰＳ機能を用いて発信機の位置情報の条件に合致するかを照合すること、あるいは、携帯端末の現在地が所定の領域内にあるかを改めて確認することとしてもよい。
【００１７】
これに対して、第２の発明及び第３の発明では、ビーコン端末等の発信機から受信した無線信号に応じたイベントを発生させる際に、携帯端末のＧＰＳ機能によって、携帯端末の現在地がイベントを発生させてよい場所にあるかを確認する。第２の発明では、携帯端末の現在地が所定の領域内にあるかを確認する。第３の発明では、発信機からの無線信号を受信した場所が発信機が設置されている場所と一致するかを確認する。いずれの発明においても、受信した無線信号の識別情報に応じて、発生させるイベントの順序を制御する。
【００１８】
尚、本発明において、無線信号やその発信機の種別は特に限定されるものではないが、いわゆるビーコン端末を用いて、ビーコン信号を発信させることとすればよい。携帯端末には、スマートフォン等の携帯電話や、タブレット型コンピュータ等を用いることができる。アプリケーションの種別も特に限定されないが、多くのユーザの利用を促すためには、ゲーム等のエンターテイメント性の高いものを採用するのが好適である。アプリケーションにおいて発生するイベントの種別も特に限定されないが、例えば、ゲームアプリ内におけるミニゲーム等のプレイ、所定の対象物を撮影させるためのカメラアプリの起動、ユーザが獲得するポイントの増減等を実行するためのイベントを発生させることとすればよい。
【００１９】
本発明は、本発明に係るイベント制御プログラムに対応するイベント制御機能を備えた携帯端末として特定することもできる。
【００２０】
第１の発明に対応する携帯端末は、ＧＰＳによって特定される現在地が、所定の領域内にあるかを判断する現在地判断手段と、前記現在地判断手段によって現在地が所定の領域内にあると判断されると、所定のアプリケーションを開始するアプリケーション開始手段と、前記アプリケーションが開始された後に、所定の場所に設置された発信機から発信された無線信号を受信すると、前記無線信号から前記発信機の識別情報を特定する発信機特定手段と、前記発信機特定手段によって特定された発信機の識別情報が、前記アプリケーションにおいて次に発生させるイベントに関連付けられた識別情報に該当する場合に、前記識別情報に関連付けられたイベントを発生させるイベント発生手段と、を備えることを特徴とするイベント制御機能を備えた携帯端末である。
【００２１】
第１の発明に対応する携帯端末は、前記イベント発生手段は、前記発信機特定手段によって特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させることを特徴とすることもできる。
【００２２】
第１の発明に対応する携帯端末は、前記イベント発生手段は、前記発信機特定手段によって特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記領域内にある場合に、前記識別情報に関連付けられたイベントを発生させることを特徴とすることもできる。
【００２３】
第２の発明に対応する携帯端末は、所定のアプリケーションが開始された後に、所定の場所に設置された発信機から発信された無線信号を受信すると、前記無線信号から前記発信機の識別情報を特定する発信機特定手段と、前記発信機特定手段によって特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させるイベント発生手段と、を備えることを特徴とするイベント制御機能を備えた携帯端末である。
【００２４】
第３の発明に対応する携帯端末は、所定のアプリケーションが開始された後に、所定の場所に設置された発信機から発信された無線信号を受信すると、前記無線信号から前記発信機の識別情報を特定する発信機特定手段と、前記発信機特定手段によって特定された発信機の識別情報が、前記アプリケーションにおいて次に発生させるイベントに関連付けられた識別情報に該当し、かつ、ＧＰＳによって特定される前記携帯端末が前記無線信号を受信した位置が、所定の領域内にある場合に、前記識別情報に関連付けられたイベントを発生させるイベント発生手段と、を備えることを特徴とするイベント制御機能を備えた携帯端末である。
【００２５】
本発明は、本発明に係るイベント制御プログラムによって実行されるイベントの制御方法として特定することもできる。
【００２６】
第１の発明に対応するイベントの制御方法は、ＧＰＳによる現在地の特定機能と、所定の場所に設置された発信機から発信された無線信号の受信機能を備えた携帯端末が、ＧＰＳによって特定される前記携帯端末の現在地が、所定の領域内にあるかを判断する現在地判断ステップと、前記携帯端末が、前記現在地判断ステップで現在地が所定の領域内にあると判断されると、所定のアプリケーションを開始するステップと、前記携帯端末が、前記アプリケーションが開始された後に、前記発信機から発信された無線信号を受信すると、前記無線信号から前記発信機の識別情報を特定する発信機特定ステップと、前記携帯端末が、前記発信機特定ステップで特定された発信機の識別情報が、前記アプリケーションにおいて次に発生させるイベントに関連付けられた識別情報に該当する場合に、前記識別情報に関連付けられたイベントを発生させるイベント発生ステップと、を有することを特徴とするイベントの制御方法である。
【００２７】
第１の発明に対応するイベントの制御方法は、前記イベント発生ステップでは、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させることを特徴とすることもできる。
【００２８】
第１の発明に対応するイベントの制御方法は、前記イベント発生ステップでは、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記領域内にある場合に、前記識別情報に関連付けられたイベントを発生させることを特徴とすることもできる。
【００２９】
第２の発明に対応するイベントの制御方法は、ＧＰＳによる現在地の特定機能と、所定の場所に設置された発信機から発信された無線信号の受信機能を備えた携帯端末が、所定のアプリケーションが開始された後に、前記発信機から発信された無線信号を受信すると、前記無線信号から前記発信機の識別情報を特定する発信機特定ステップと、前記携帯端末が、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記発信機の設置場所を特定する位置情報の条件に合致する場合に、前記識別情報に関連付けられたイベントを発生させるイベント発生ステップと、を有することを特徴とするイベントの制御方法である。
【００３０】
第３の発明に対応するイベントの制御方法は、ＧＰＳによる現在地の特定機能と、所定の場所に設置された発信機から発信された無線信号の受信機能を備えた携帯端末が、所定のアプリケーションが開始された後に、前記発信機から発信された無線信号を受信すると、前記無線信号から前記発信機の識別情報を特定する発信機特定ステップと、前記携帯端末が、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、所定の領域内にある場合に、前記識別情報に関連付けられたイベントを発生させるイベント発生ステップと、を有することを特徴とするイベントの制御方法である。
【発明の効果】
【００３１】
本発明によると、特定の領域内のみでアプリケーションの利用が可能になることを担保しながら、位置情報を利用してアプリケーションにおけるイベント発生のタイミングを制御することが可能なので、例えば、市町村、商店街等の域内で、所定の場所を順番に回ってミッションを達成する、スタンプラリーや宝探しのようなエンターテイメント性の高いサービスを提供することによって、人が集まる仕組みを構築して、地域掲載の活性化に貢献することが期待できる。
【００３２】
また、こうしたサービスを地域住民に提供して、サービスの利用状況に関する情報を収集すれば、各々の住民の嗜好や行動パターン等を解析して、地域住民に対する情報提供等の様々なサービスに活用することも可能になると考えられる。
【図面の簡単な説明】
【００３３】
【図１】本発明の実施形態の概要を示す図である。
【図２】本発明に係るイベント制御プログラムにおいて、アプリケーションの開始を制御する仕組みの概要を示す図である。
【図３】本発明に係るイベント制御プログラムにおいて、アプリケーションにおいて発生させるイベントの順序を制御する仕組みの概要を示す図である。
【図４】本発明に係るイベント制御機能を備えた携帯端末等の構成を示すブロック図である。
【図５】本発明において、アプリケーションにおいて発生させるイベントの順序が設定されたビーコン情報の一例を示す図である。
【図６】本発明に係るイベント制御プログラムの処理フローを示す第１のフローチャートである。
【図７】本発明に係るイベント制御プログラムの処理フローを示す第２のフローチャートである。
【発明を実施するための形態】
【００３４】
本発明を実施するための形態について、図面を用いて以下に詳細に説明する。尚、以下の説明は、本発明の実施形態の一例を示したものであって、本発明は以下に説明する実施形態に限定されるものではない。
【００３５】
図１は、本発明の実施形態の概要を示している。本発明は、市町村等の所定の領域内のみにおいて利用することが可能な、スマートフォン等の携帯端末を用いたゲーム等のアプリケーションにおける、イベント発生の制御に用いられるものである。サービスを提供する市町村等の領域内には複数のビーコン端末が設置され、ユーザが所持する携帯端末がビーコン端末から発信されたビーコン信号を受信すると、各々のビーコン端末の識別情報に応じたアプリケーションにおけるイベントが発生することになるが、こうしたイベントは、携帯端末に設定された、あるいはネットワーク経由でゲームサーバに問い合わせて確認した所定の順序に合致することを条件に発生する。
【００３６】
また、ＧＰＳ機能によって携帯端末の現在地を特定し、携帯端末が市町村等の領域内にあることが確認されることを条件に、ゲーム等のアプリケーションを開始させることによって、ビーコン端末から受信する識別情報を偽装した領域外での不正行為等にも対処して、当該市町村等の領域内のみで提供されるサービスであることが担保されている。
【００３７】
ビーコン端末の識別情報と関連付けられたイベントの順序に関する最新情報の携帯端末への送信、又は、携帯端末からの問合せに応じたビーコン端末の識別情報と関連付けられたイベントの順序の確認結果の返信、あるいは携帯端末へのオンラインゲームの提供等に用いられるゲームサーバは、市町村等の地域住民を対象に、ビーコン端末から受信したビーコン信号等に基づく携帯端末の移動情報等を携帯端末から受信して、こうした情報を地域情報管理サーバに収集すれば、各々の住民の嗜好や行動パターン等を解析して、地域住民に対する情報提供等の様々なサービスに活用することも可能になる。
【００３８】
図２は、本発明に係るイベント制御プログラムにおいて、アプリケーションの開始を制御する仕組みの概要を、図３は、本発明に係るイベント制御プログラムにおいて、アプリケーションにおいて発生させるイベントの順序を制御する仕組みの概要を、それぞれ示している。
【００３９】
本発明では、図２に示したように、ＧＰＳ機能によって携帯端末の現在地を特定して、携帯端末が市町村等（図２では「Ｘ市」）の領域内にあることが確認されることを条件に、ゲーム等のアプリケーションが開始されて、ビーコン端末からビーコン信号を受信した際に、ビーコン端末の識別情報（図２では「ビーコン端末１」）に対応するイベント（図２では「イベントＡ」）を発生させることが可能な状態となる。
【００４０】
つまり、受信したビーコン信号から、あるイベントに関連付けられたビーコン端末の識別情報（図２では「ビーコン端末１」）が検出されたとしても、ＧＰＳ機能によって特定される携帯端末の現在地が市町村等の領域内になければ（図２では「Ｘ市」以外の地域にあれば）、携帯端末において対応するイベント（図２では「イベントＡ」）を発生させることはないので、市町村等の領域外に識別情報を偽装した不正なビーコン端末を設置したり、ビーコン信号を受信しなくても偽装した識別情報を生成したりするような不正行為に対処することが可能となっている。
【００４１】
また、図３に示したように、市町村等の領域内にあることが確認され、ゲーム等のアプリケーションが開始された携帯端末が、ビーコン端末からのビーコン信号を受信しても、ビーコン信号から検出される各々のビーコン端末の識別情報が所定の順序に従っていない場合は、ビーコン端末の識別情報に対応するイベントは発生しない。
【００４２】
図３の例では、あらかじめ設定されているビーコン端末１、ビーコン端末２、ビーコン端末３、ビーコン端末４の順序でビーコン端末の識別情報が検出されれば、各々の識別情報に対応するイベントＡ、イベントＢ、イベントＣ、イベントＤが順に発生することになるが、ビーコン端末１の識別情報を検出してイベントＡを発生させた直後に、受信したビーコン信号からビーコン端末３の識別情報が検出されたとしても、所定の順序に合致したいので、ビーコン端末３に対応するイベントＣが発生することはない。
【００４３】
図４は、本発明に係るイベント制御機能を備えた携帯端末の構成の一例を示している。図４において、携帯端末１０が本発明に係るイベント制御機能を備えた携帯端末に、携帯端末１０のゲーム進行制御部１２が本発明に係るイベント制御プログラムに、それぞれ対応することになる。
【００４４】
携帯端末１０には、スマートフォン等の携帯電話や、タブレット型コンピュータ等の携帯端末が用いられる。ＧＰＳ情報受信部１１、ゲーム進行制御部１２、イベント処理部１３、ビーコン信号受信部１４は、いずれも機能的に特定されるものであって、携帯端末１０のメインメモリにＳＳＤ等の補助記憶装置から対応するプログラムを呼び出して、ＣＰＵで演算処理を実行することによって、各部に対応する機能が実現される。ビーコン情報記憶部１５には、携帯端末１０の補助記憶装置の所定の記憶領域が割り当てられる。
【００４５】
ゲームサーバ２０は、インターネットに接続されたサーバコンピュータであって、携帯端末１０と接続してデータの送受信が可能であれば、その物理的な構成は特に限定されるものではない。ゲーム情報送受信部２２は機能的に特定されるものであって、ゲームサーバ２０のメインメモリにＨＤＤ等の補助記憶装置から対応するプログラムを呼び出して、ＣＰＵで演算処理を実行することによって、その機能が実現される。ビーコン情報記憶部２１、ユーザ情報記憶部２３には、ゲームサーバ２０の補助記憶装置の所定の記憶領域が割り当てられる。
【００４６】
ＧＰＳ衛星３０は、携帯端末１０のＧＰＳ情報受信部１１で受信可能な電波を発信して、携帯端末１０の位置情報の測定に用いられる人工衛星である。ビーコン端末４０は所定のタイミングでビーコン信号（無線信号）の電波を発信する発信機で、所定の場所に設置される。ビーコン端末４０から発信されるビーコン信号は、携帯端末１０のビーコン信号受信部１４で受信される。
【００４７】
地域情報管理サーバ５０は、ゲームサーバ２０とのデータの送受信が可能なサーバコンピュータであれば、その物理的な構成は特に限定されるものではない。地域情報管理サーバ５０は、同じ市町村等の領域内を対象に提供される他のサービスを管理するサーバとも接続され、収集した情報の相互利用を可能にしている。
【００４８】
以上の構成を前提にして、図６−図７のフローチャートに沿って、本発明を用いたイベントの制御方法について説明する。
【００４９】
ユーザがスマートフォン等の携帯端末１０でゲームアプリ等の所定のアプリケーション（本発明において起動されるアプリケーションの種別は特に限定されないが、以下では「ゲームアプリ」として説明する。）の起動を要求すると、ゲーム進行制御部１２が起動されて、ＧＰＳ情報受信部１１がＧＰＳ衛星３０から受信した電波から、携帯端末１０の現在地を測定する（Ｓ０１）。ゲーム進行制御部１２は、ＧＰＳ機能によって特定された携帯端末１０の現在地が、ゲームアプリを利用できる市町村内等のゲーム進行制御部１２に設定された所定の領域内にあるかを判断する（Ｓ０２）。
【００５０】
携帯端末１０の現在地がゲームアプリを利用できる領域内にないと判断されると（Ｓ０２がＮｏ）、携帯端末１０の画面にエラーメッセージを出力して（Ｓ０３）処理を終了するが、携帯端末１０の現在地がゲームアプリを利用できる領域内にあると判断された場合には（Ｓ０２がＹｅｓ）、ゲームアプリを実行するプログラムを起動して（Ｓ０４）、アプリケーションが開始される。
【００５１】
アプリケーションが開始されると、ビーコン信号受信部１４は、ビーコン端末４０（図４にはビーコン端末４０のみを例示しているが、市町村等の領域内には同様のビーコン端末が複数設置されている。）から所定のタイミングで発信されているビーコン信号（無線信号）の受信を監視する（Ｓ０５）。ビーコン端末４０から発信されるビーコン信号には、ビーコン端末４０を識別する端末毎にユニークに採番されたビーコンＩＤが含まれている。
【００５２】
携帯端末１０を所持するユーザが移動を開始して、ビーコン信号受信部１４においてビーコン信号の受信が検出されると（Ｓ０５がＹｅｓ）、受信したビーコン信号からビーコン端末４０を識別するビーコンＩＤを読み取って（Ｓ０６）、ゲーム進行制御部１２は、読み取ったビーコンＩＤが、次に発生させるイベントと関連付けられたビーコンＩＤに該当するかを判断する（Ｓ０７）。
【００５３】
すなわち、市町村等の所定の領域内に設置されているビーコン端末に対しては、各々のビーコン端末からのビーコン信号の受信をトリガとして発生させるイベントが対応付けられていて、各々のビーコン端末のビーコンＩＤとビーコン端末からの受信をトリガとして発生させるイベントを識別する情報を関連付けたビーコン情報が、ビーコン情報記憶部１５に記憶されている。また、それらのビーコン情報には、イベントを発生させる順序が設定されているので、携帯端末１０が受信したビーコン信号から読み取ったビーコンＩＤが次に発生させるイベントに関連付けられたビーコンＩＤに該当するか否かは、ビーコン情報記憶部１５に記憶されたビーコン情報と照合することによって判断することができる。
【００５４】
尚、ゲームアプリにおいて発生させるイベントの種別は特に限定されるものではないが、例えば、ゲームアプリ内においてプレイすることが可能なミニゲームを起動するイベントや、ビーコン端末４０が設置された場所の近辺にある対象物を撮影させるためにカメラアプリを起動するイベント、ゲームアプリにおいてユーザが獲得したポイントの全部または一部を減算したり、ボーナスポイントを加算したりするイベント等を発生させることとすればよい。
【００５５】
図５は、ビーコン情報記憶部１５に記憶された、ゲームアプリにおいて発生させるイベントの順序が設定されたビーコン情報の一例を示したものであるが、各々のビーコン端末のビーコンＩＤには、ビーコン端末からのビーコン信号の受信をトリガとして発生させるイベントを識別するイベントＩＤが関連付けられていて、関連付けられたイベントを発生させる順（この例では上の行から順にイベントを発生させるものとする）に並べて、ビーコン情報記憶部１５に記憶されている。イベントを発生させた後には、「実行済」のフィールドにイベントが実行済であることを示す実行済フラグが立てられるので（この例では「１」を実行済、「０」を実行未済とする）、実行済フラグを確認することによって、次に発生させるイベントを特定することができる。
【００５６】
図５の例であれば、ビーコンＩＤが「２」のレコードまで実行済フラグが立てられているので、受信したビーコン信号のビーコンＩＤが「３」であれば、次に発生させるイベントに関連付けられたビーコンＩＤに該当し、受信したビーコン信号のビーコンＩＤが「１」「２」「４」であれば、次に発生させるイベントに関連付けられたビーコンＩＤには該当しないと判断することができる。
【００５７】
尚、ビーコン端末の設置場所やビーコンＩＤ、各々のビーコンＩＤに関連付けられるイベント（イベントＩＤ）が変更された場合には、ビーコン情報記憶部１５に記憶された情報を更新することが必要になるが、その場合は、ゲームアプリを管理するゲームサーバ２０のビーコン情報記憶部２１に最新のビーコン情報を記憶させ、所定のタイミングでゲーム情報送受信部２２とゲーム進行制御部１２が交信して、ビーコン情報記憶部１５に記憶されたビーコン情報をビーコン情報記憶部２１に記憶された最新のビーコン情報と同期させることとすればよい。あるいは、携帯端末１０で受信したビーコン信号から読み取ったビーコンＩＤをゲーム進行制御部１２からゲームサーバ２０に送信して、ビーコンＩＤが次の順番に該当するかを問い合わせ、ビーコン情報記憶部２１に記憶されたビーコン情報と照合して返信された確認結果から、Ｓ０７の判断を行うこととしてもよい。
【００５８】
次に発生させるイベントに関連付けられたビーコンＩＤに該当しないと判断されると（Ｓ０７がＮｏ）、Ｓ０５に戻ってビーコン信号の受信の監視を継続するが、次に発生させるイベントに関連付けられたビーコンＩＤに該当すると判断された場合には（Ｓ０７がＹｅｓ）、ＧＰＳ情報受信部１１がＧＰＳ衛星３０から受信した電波から、携帯端末１０の現在地を測定する（Ｓ０８）。
【００５９】
続いて、ゲーム進行制御部１２は、携帯端末１０の現在地がイベントを発生させることが可能な位置情報の条件に合致するかを判断するが（Ｓ０９）、イベントを発生させることが可能な位置情報の条件は、ビーコン信号受信部１４で受信したビーコン信号を発信したビーコン端末４０の位置情報に合致することを条件としてもよいし、Ｓ０２と同様に市町村等の領域内にあることを条件としてもよい。
【００６０】
前者の場合は、図５に例示したように、ビーコン情報記憶部１５に記憶されるビーコン情報に、各々のビーコン端末の設置場所の緯度・経度を位置情報の条件として含めておけば、ＧＰＳによって特定された携帯端末１０の現在地がこの緯度・経度によって特定される一定の範囲内にあれば、所定の場所に設置されたビーコン端末から受信したものであり、ビーコン信号が偽装されたものではないと確認することができる。後者については、前者に比べるとやや精度が劣るものの、ＧＰＳによって特定された携帯端末１０の現在地が市町村等の領域外にあれば、ビーコン信号が偽装されたものと判断することができる。
【００６１】
携帯端末１０の現在地がイベントを発生させることが可能な位置情報の条件に合致しないと判断されると（Ｓ０９がＮｏ）、Ｓ０５に戻ってビーコン信号の受信の監視を継続するが、携帯端末１０の現在地がイベントを発生させることが可能な位置情報の条件に合致すると判断された場合には（Ｓ０９がＹｅｓ）、ビーコン情報記憶部１５において、受信したビーコン信号から読み取ったビーコンＩＤと関連付けられているイベントＩＤに対応するイベントを発生させて（Ｓ１０）、イベント処理部１３にイベントに対応する処理を実行させる。
【００６２】
尚、イベントの発生を含めたゲームアプリの進行は、ゲーム進行制御部１２及びイベント処理部１３によって、携帯端末１０のみにおいて実行される方法に限定されるものではなく、携帯端末１０がゲームサーバ２０と交信しながら、オンラインゲームとして実行されるものであってもよい。
【００６３】
イベントを発生させてイベントに対応する処理が実行されると、ビーコン情報記憶部１５における発生させたイベントのイベントＩＤと関連付けられたビーコンＩＤのレコードに、実行済フラグを立てるとともに、ビーコン情報記憶部１５の全てのビーコンＩＤのレコードに実行済フラグが立てられているかどうかから、ゲームアプリにおける全てのイベントが完了したかを確認する（Ｓ１１）。
【００６４】
ゲームアプリにおける全てのイベントが完了したことが確認されると（Ｓ１１がＹｅｓ）、実行中のゲームアプリを終了するが、ゲームアプリにおける全てのイベントが完了していない場合には（Ｓ１１がＮｏ）、Ｓ０５に戻ってビーコン信号の受信の監視を継続する。尚、ゲームアプリにおける全てのイベントが完了する前にゲームアプリの終了操作を受け付けた場合にも（Ｓ１１がＹｅｓ）、実行中のゲームアプリを終了することになる。
【００６５】
また、発生させたイベントによって特定されるユーザの移動情報も含めたユーザが実行したゲームアプリに関する情報を、実行中のゲームアプリが終了した時、あるいはその他の所定のタイミングでゲームサーバ２０に送信することとしてもよく、送信された情報はゲーム情報送受信部２２で受信されてユーザ情報記憶部２３に記憶され、さらにその情報を、所定のタイミングで地域情報管理サーバ５０に送信するよう構成してもよい。地域情報管理サーバ５０において、こうしたユーザの移動情報等を地域の住民を対象に収集して、各々の住民の嗜好や行動パターン等を解析すれば、地域住民に対する情報提供等の様々なサービスに活用することも可能になる。
【００６６】
以上に説明した処理フローでは、ＧＰＳによって測定された現在地を、ゲームアプリの起動時と、イベントの発生時の双方におけるユーザがいる場所の確認に用いることとしているが、ユーザがゲームアプリの利用が可能な市町村等の領域内にいることの確認は、いずれか一方のみで行うように変更することも可能である。
【００６７】
具体的には、図７のＳ０８−Ｓ０９を省略して、ゲームアプリの起動時にユーザがゲームアプリの利用が可能な市町村等の領域内にいることが確認されていれば、受信したビーコン信号から読み取ったビーコンＩＤの順序の確認のみによってイベントを発生させることとしてもよいし、逆に、図６のＳ０１−Ｓ０２を省略して、起動の要求を受け付ければ直ちにゲームアプリを開始させ、イベントを発生させる際に、ビーコン信号を受信した携帯端末１０の現在地が対応するビーコン端末の設置場所の範囲内、あるいはゲームアプリの利用が可能な市町村等の領域内にあることを確認することとしてもよい。
【００６８】
但し、ゲームアプリの利用が可能な市町村等の領域外に識別情報を偽装したビーコン端末を設置したり、ビーコン信号を受信しなくても偽装した識別情報を生成したりするような不正行為に、より確実に対処するためには、図６−図７のフローチャートに示したように、ＧＰＳによって測定された現在地を、ゲームアプリの起動時とイベントの発生時の双方におけるユーザがいる場所の確認に用いることが好ましい。特に、図６のＳ０１−Ｓ０２のように、ゲームアプリの起動時に現在地の確認を行うと、ゲームアプリの利用が可能な市町村等の領域外において行われる不正行為に直ちに対処することができて効率的なので、この工程を含むことが好適と考えられる。
【符号の説明】
【００６９】
１０  携帯端末
１１  ＧＰＳ情報受信部
１２  ゲーム進行制御部
１３  イベント処理部
１４  ビーコン信号受信部
１５  ビーコン情報記憶部
２０  ゲームサーバ
２１  ビーコン情報記憶部
２２  ゲーム情報送受信部
２３  ユーザ情報記憶部
３０  ＧＰＳ衛星
４０  ビーコン端末
５０  地域情報管理サーバ
【図１】
2018068599.tif 000003
【図２】
2018068599.tif 000004
【図３】
2018068599.tif 000005
【図４】
2018068599.tif 000006
【図５】
2018068599.tif 000007
【図６】
2018068599.tif 000008
【図７】
2018068599.tif 000009
【手続補正書】
【提出日】平成29年12月24日(2017.12.24)
【手続補正１】
【補正対象書類名】特許請求の範囲
【補正対象項目名】全文
【補正方法】変更
【補正の内容】
【特許請求の範囲】
【請求項１】
ＧＰＳによる現在地の特定機能と、所定の場所に設置された発信機から発信された無線信号の受信機能を備えた携帯端末に、
所定のアプリケーションの起動要求を受け付けると、ＧＰＳによって特定される前記携帯端末の現在地が、前記アプリケーションを利用できる所定の領域内にあるかを判断する現在地判断ステップと、
前記現在地判断ステップで現在地が前記所定の領域内にあると判断されると、前記アプリケーションを起動して、前記発信機から発信された無線信号の受信を監視するステップと、
前記アプリケーションが起動された後に、前記発信機から発信された無線信号を受信すると、前記無線信号から前記発信機の識別情報を特定する発信機特定ステップと、
前記発信機特定ステップで特定された発信機の識別情報を、発信機の識別情報毎に前記アプリケーションにおいてイベントを発生させる順序が設定された情報と照合して、次に発生させるイベントに関連付けられた識別情報に該当するかを判断し、次に発生させるイベントに関連付けられた識別情報に該当する場合に、前記識別情報に関連付けられたイベントを発生させるイベント発生ステップと、
を実行させることを特徴とするイベント制御プログラム。
【請求項２】
前記イベント発生ステップでは、前記発信機特定ステップで特定された発信機の識別情報が、前記アプリケーションにおいて次に発生させるイベントに関連付けられた識別情報に該当し、かつ、ＧＰＳによって特定される前記携帯端末が前記無線信号を受信した位置が、前記領域内にある場合に、前記識別情報に関連付けられたイベントを発生させること
を特徴とする請求項１記載のイベント制御プログラム。
【請求項３】
所定のアプリケーションの起動要求を受け付けると、ＧＰＳによって特定される現在地が、前記アプリケーションを利用できる所定の領域内にあるかを判断する現在地判断手段と、
前記現在地判断手段によって現在地が前記所定の領域内にあると判断されると、前記アプリケーションを起動して、前記発信機から発信された無線信号の受信を監視するアプリケーション起動手段と、
前記アプリケーションが起動された後に、所定の場所に設置された発信機から発信された無線信号を受信すると、前記無線信号から前記発信機の識別情報を特定する発信機特定手段と、
前記発信機特定手段によって特定された発信機の識別情報を、発信機の識別情報毎に前記アプリケーションにおいてイベントを発生させる順序が設定された情報と照合して、次に発生させるイベントに関連付けられた識別情報に該当するかを判断し、次に発生させるイベントに関連付けられた識別情報に該当する場合に、前記識別情報に関連付けられたイベントを発生させるイベント発生手段と、
を備えることを特徴とするイベント制御機能を備えた携帯端末。
【請求項４】
ＧＰＳによる現在地の特定機能と、所定の場所に設置された発信機から発信された無線信号の受信機能を備えた携帯端末が、所定のアプリケーションの起動要求を受け付けると、ＧＰＳによって特定される前記携帯端末の現在地が、前記アプリケーションを利用できる所定の領域内にあるかを判断する現在地判断ステップと、
前記携帯端末が、前記現在地判断ステップで現在地が前記所定の領域内にあると判断されると、前記アプリケーションを起動して、前記発信機から発信された無線信号の受信を監視するステップと、
前記携帯端末が、前記アプリケーションが起動された後に、前記発信機から発信された無線信号を受信すると、前記無線信号から前記発信機の識別情報を特定する発信機特定ステップと、
前記携帯端末が、前記発信機特定ステップで特定された発信機の識別情報を、発信機の識別情報毎に前記アプリケーションにおいてイベントを発生させる順序が設定された情報と照合して、次に発生させるイベントに関連付けられた識別情報に該当するかを判断し、次に発生させるイベントに関連付けられた識別情報に該当する場合に、前記識別情報に関連付けられたイベントを発生させるイベント発生ステップと、
を有することを特徴とするイベントの制御方法。
【手続補正２】
【補正対象書類名】明細書
【補正対象項目名】００１０
【補正方法】変更
【補正の内容】
【００１０】
本願の課題を解決する第１の発明は、ＧＰＳによる現在地の特定機能と、所定の場所に設置された発信機から発信された無線信号の受信機能を備えた携帯端末に、所定のアプリケーションの起動要求を受け付けると、ＧＰＳによって特定される前記携帯端末の現在地が、前記アプリケーションを利用できる所定の領域内にあるかを判断する現在地判断ステップと、前記現在地判断ステップで現在地が前記所定の領域内にあると判断されると、前記アプリケーションを起動して、前記発信機から発信された無線信号の受信を監視するステップと、前記アプリケーションが起動された後に、前記発信機から発信された無線信号を受信すると、前記無線信号から前記発信機の識別情報を特定する発信機特定ステップと、前記発信機特定ステップで特定された発信機の識別情報を、発信機の識別情報毎に前記アプリケーションにおいてイベントを発生させる順序が設定された情報と照合して、次に発生させるイベントに関連付けられた識別情報に該当するかを判断し、次に発生させるイベントに関連付けられた識別情報に該当する場合に、前記識別情報に関連付けられたイベントを発生させるイベント発生ステップと、を実行させることを特徴とするイベント制御プログラムである。
【手続補正３】
【補正対象書類名】明細書
【補正対象項目名】００２０
【補正方法】変更
【補正の内容】
【００２０】
第１の発明に対応する携帯端末は、所定のアプリケーションの起動要求を受け付けると、ＧＰＳによって特定される現在地が、前記アプリケーションを利用できる所定の領域内にあるかを判断する現在地判断手段と、前記現在地判断手段によって現在地が前記所定の領域内にあると判断されると、前記アプリケーションを起動して、前記発信機から発信された無線信号の受信を監視するアプリケーション起動手段と、前記アプリケーションが起動された後に、所定の場所に設置された発信機から発信された無線信号を受信すると、前記無線信号から前記発信機の識別情報を特定する発信機特定手段と、前記発信機特定手段によって特定された発信機の識別情報を、発信機の識別情報毎に前記アプリケーションにおいてイベントを発生させる順序が設定された情報と照合して、次に発生させるイベントに関連付けられた識別情報に該当するかを判断し、次に発生させるイベントに関連付けられた識別情報に該当する場合に、前記識別情報に関連付けられたイベントを発生させるイベント発生手段と、を備えることを特徴とするイベント制御機能を備えた携帯端末である。
【手続補正４】
【補正対象書類名】明細書
【補正対象項目名】００２６
【補正方法】変更
【補正の内容】
【００２６】
第１の発明に対応するイベントの制御方法は、ＧＰＳによる現在地の特定機能と、所定の場所に設置された発信機から発信された無線信号の受信機能を備えた携帯端末が、所定のアプリケーションの起動要求を受け付けると、ＧＰＳによって特定される前記携帯端末の現在地が、前記アプリケーションを利用できる所定の領域内にあるかを判断する現在地判断ステップと、前記携帯端末が、前記現在地判断ステップで現在地が前記所定の領域内にあると判断されると、前記アプリケーションを起動して、前記発信機から発信された無線信号の受信を監視するステップと、前記携帯端末が、前記アプリケーションが起動された後に、前記発信機から発信された無線信号を受信すると、前記無線信号から前記発信機の識別情報を特定する発信機特定ステップと、前記携帯端末が、前記発信機特定ステップで特定された発信機の識別情報を、発信機の識別情報毎に前記アプリケーションにおいてイベントを発生させる順序が設定された情報と照合して、次に発生させるイベントに関連付けられた識別情報に該当するかを判断し、次に発生させるイベントに関連付けられた識別情報に該当する場合に、前記識別情報に関連付けられたイベントを発生させるイベント発生ステップと、を有することを特徴とするイベントの制御方法である。